(57)【要約】【課題】乗客がエレベータのかご内行先釦を押した時に、その階に対応した属性を表示報知することで、乗客が向かおうとする階床の情報や状態を知ることができるようにしたエレベータにおける情報報知制御装置を提供する。【解決手段】乗客がかご内にて行先を指定するかご内行先釦の操作を検出する手段２と、エレベータの設置されている施設での仕様に関する施設仕様データ１０５および情報を表示報知する際の表示データ１０７を格納する記憶手段Ｍと、かご内行先釦が押された時に記憶手段内のビル仕様データおよび表示データを検索しこれから表示報知データを作成する手段１０３，１０９と、表示報知データに従って表示報知を行う表示装置５と、を備えた。【選択図】　　　　図１
2004043156.tif 000002
【特許請求の範囲】
【請求項１】
乗客がかご内にて行先を指定するかご内行先釦の操作を検出する手段と、
エレベータの設置されている施設での仕様に関する施設仕様データおよび情報を表示報知する際の表示データを格納する記憶手段と、
かご内行先釦が押された時に前記記憶手段内のビル仕様データおよび表示データを検索しこれから表示報知データを作成する手段と、
前記表示報知データに従って表示報知を行う表示装置と、
を備えたことを特徴とするエレベータにおける情報報知制御装置。
【請求項２】
前記表示報知手段での表示報知時間は、かご内行先釦が押されてから所定時間経過するまでの時間であることを特徴とする請求項１に記載のエレベータにおける情報報知制御装置。
【請求項３】
前記表示報知手段での表示報知時間は、かご内行先釦が押されている間であることを特徴とする請求項１に記載のエレベータにおける情報報知制御装置。
【請求項４】
前記表示報知と並行してアナウンス報知を行うために、前記表示報知データに対応したアナウンス報知データを作成する手段、およびこのアナウンス報知データに従ってアナウンス報知を行うアナウンス装置を備え、さらに報知手段として前記表示報知とアナウンス報知それぞれの選択を行う手段と、を備えたことを特徴とする請求項１ないし３のいずれか１項に記載のエレベータにおける情報報知制御装置。
【請求項５】
前記表示データは各階床ごとにそれぞれ複数の異なる表示データを含み、これらの複数の表示データを選択変更する外部装置をさらに備えたことを特徴とする請求項１ないし４のいずれか１項に記載のエレベータにおける情報報知制御装置。
【請求項６】
外部との通信により前記記憶手段内のデータを書き換えるデータ書換手段をさらに備えたことを特徴とする請求項１ないし５のいずれか１項に記載のエレベータにおける情報報知制御装置。
【請求項７】
報知するデータをエレベータがサービスしない階であることを示す情報に限定する手段をさらに備えたことを特徴とする請求項１ないし６のいずれか１項に記載のエレベータにおける情報報知制御装置。
【発明の詳細な説明】
【０００１】
【発明の属する技術分野】
この発明は、エレベータの呼びを検出し、登録階に対応する情報（その階に関する各種情報）を報知するエレベータにおける情報報知制御装置に関する。
【０００２】
【従来の技術】
例えば特開２００１−３２８７７５号公報に記載のように従来、エレベータのかご内に情報表示装置を備え、この情報表示装置に画像制御装置から配信される情報を表示するものが提案されている。この情報表示装置は、時間帯や運転方向により情報を表示するようになされている。
【０００３】
【発明が解決しようとする課題】
従来のこの種の装置では以上のように、時間帯や運転方向により情報を表示するものであり、例えばこれから利用しようとする階床に関する情報が得られるといものではなかった。また、表示による情報伝達のみであった為、乗客が視覚障害者の場合報知することができなかった。
【０００４】
この発明は、上記のような課題を解消するためになされたもので、乗客がエレベータのかご内行先釦を押した時に、その階に対応した属性を表示報知することで、乗客が向かおうとする階床の情報や状態を知ることができるようにしたエレベータにおける情報報知制御装置を提供することを目的とする。
【０００５】
【課題を解決するための手段】
上記の目的に鑑み、この発明は、乗客がかご内にて行先を指定するかご内行先釦の操作を検出する手段と、エレベータの設置されている施設での仕様に関する施設仕様データおよび情報を表示報知する際の表示データを格納する記憶手段と、かご内行先釦が押された時に前記記憶手段内のビル仕様データおよび表示データを検索しこれから表示報知データを作成する手段と、前記表示報知データに従って表示報知を行う表示装置と、を備えたことを特徴とするエレベータにおける情報報知制御装置にある。
【０００６】
また、前記表示報知手段での表示報知時間は、かご内行先釦が押されてから所定時間経過するまでの時間であることを特徴とする。
【０００７】
また、前記表示報知手段での表示報知時間は、かご内行先釦が押されている間であることを特徴とする。
【０００８】
また、前記表示報知と並行してアナウンス報知を行うために、前記表示報知データに対応したアナウンス報知データを作成する手段、およびこのアナウンス報知データに従ってアナウンス報知を行うアナウンス装置を備え、さらに報知手段として前記表示報知とアナウンス報知それぞれの選択を行う手段と、を備えたことを特徴とする。
【０００９】
また、前記表示データは各階床ごとにそれぞれ複数の異なる表示データを含み、これらの複数の表示データを選択変更する外部装置をさらに備えたことを特徴とする。
【００１０】
また、外部との通信により前記記憶手段内のデータを書き換えるデータ書換手段をさらに備えたことを特徴とする。
【００１１】
また、報知するデータをエレベータがサービスしない階であることを示す情報に限定する手段をさらに備えたことを特徴とする。
【００１２】
【発明の実施の形態】
実施の形態１．
図１はこの発明の一実施の形態によるエレベータにおける情報報知制御装置の構成を示す図である。図において、１はエレベータかご（図示せず）内で行き先階を指定するためのかご内行先釦、２はエレベータの制御装置側に設けられている行先釦操作検出部である。１００はエレベータの制御装置側のコンピュータを含むエレベータ制御盤で、１０１はエレベータかごの運転制御を行うエレベータ運転制御部、１０３は表示報知データ検索部、１０５と１０７はそれぞれメモリＭに格納されているものでそれぞれビル仕様データ（図３に構成を示す）と表示データ（図４に構成を示す）、１０９は表示報知データ作成部、１１１はアナウンス報知データ作成部、１１３はデータ書換部、１１５は後述する移動体通信装置を接続するためのコネクタ、１１７はリレースイッチ（ＲＳＷ）１１７等からなる外部装置である。なお、１０１，１０３，１０９，１１１，１１３は通常、コンピュータで構成される。そして５、６はかご内に設けられている表示装置とアナウンス装置である（図２参照）。
【００１３】
図２はかご内での表示装置５での表示報知の一例を示す図、図３と図４はビル仕様データ１０５、表示データ１０７の構成をそれぞれ示す図である。なお、図３のビル仕様データはエレベータがビルに設置されている場合の例であり、一般にはエレベータが設置されている施設での施設仕様データとなる。図２に示すようなかご内行先釦１は、行先釦操作検出部２により釦が操作されたことを検出され、エレベータ制御盤１００に取り込まれる。エレベータ制御盤１００では、例えば図３に示すような、サービス階床データ、表示モード、表示時間等を含むエレベータが設置されている物件毎に設定するビル仕様データ１０５を有し、このビル仕様データ１０５と、外部装置であるＲＳＷ１１７で設定された表示モード（図４も参照）、及びエレベータ運転制御部１０１から得られるエレベータの運転情報により表示報知するデータを決定し、表示装置５に出力する。
【００１４】
図７以降のフローチャートに従って動作を説明する。図２のかご内行先釦１が押されると、行先釦操作検出部２により行先釦１が操作されたことを検出し（図７のステップＳ１）、ステップＳ２に進む。操作された釦の行き先階床がエレベータがサービスしない階床である場合は（ステップＳ２）、ステップＳ３に進み、非停止階情報を表示報知データに設定し、図８、図９に示す表示報知判定処理に進み表示報知する（ステップＳ８）。図５に比停止階用の表示データ構成の一例、図６にその際の表示装置５の表示の一例を示す。
【００１５】
またステップＳ２で操作された釦の行き先階床がエレベータがサービスする階床である場合は、ステップＳ４に進み、災害時である場合は、ステップＳ５に進み、災害時情報を表示報知データに設定し、図８、図９に示す表示報知判定処理に進み表示報知する（ステップＳ８）。
【００１６】
ステップＳ４で災害時でない場合はステップＳ６に進み、操作された階床の属性を表示報知データに設定し、図８、図９に示す表示報知判定処理に進み表示報知する（ステップＳ８）。
【００１７】
行先釦１が操作された後、表示報知データが設定されている間はステップＳ７で”ｙｅｓ”に進み、図８、図９に示す表示報知判定処理に進み表示報知する（ステップＳ８）。
【００１８】
図８のフローチャートにおいて、ビル仕様データの表示時間に０以外の値（図３の表示時間の項目参照）が設定されている場合は（ステップＳ８１）、所定時間表示処理を行う。表示報知するデータが設定されてから所定時間経過していない場合は（ステップＳ８２）、ステップＳ１０に進み、後述する図１０に示す表示報知処理により表示データ、アナウンスデータをそれぞれ出力する。ステップＳ８２で所定時間経過した場合は、ステップＳ８３に進み、表示報知データを設定解除する。
【００１９】
ステップＳ８１でビル仕様データの表示時間に０が設定されている場合は、図９のステップＳ８５へ進み、行先釦が押されている間は表示報知処理を行う（ステップＳ１０）。すなわちかご内行先釦１が操作され、まだ押されている場合は、ステップＳ１０に進み、図１０に示す表示報知処理により表示データ、アナウンスデータを出力する。ステップＳ８５で釦１が離された場合は、ステップＳ８６に進み、表示報知データを解除する。
【００２０】
図３のビル仕様データに表示報知手段として表示装置５、アナウンス装置６の設定情報を設定しておく（１で設定有り、０は設定無し）。そして図１０のフローチャートに示す表示報知処理において、この情報をもとに表示装置５、アナウンス装置６の設定状態を判定し（ステップＳ１１、Ｓ１３）、判定に基づき表示装置５、アナウンス装置６への出力を行う（ステップＳ１２、Ｓ１４）。この設定情報は表示装置５、アナウンス装置６の設置の有無を示すものであってもよいし、あるいはこれらの選択設定としてもよい。
【００２１】
なお、この時の表示装置５への表示報知データは図４に示す表示データ１０７に基づき作成されたものであるが、アナウンス装置６のためのアナウンス報知データは、例えばアナウンス報知データ作成部１１１で上記表示装置５への表示報知データをアナウンスデータとして表示／音声変換してもよいし、あるいは図１に波線で示すように表示データに相当するアナウンスデータ１３１をメモリに格納しておき、これを使用して同様に作成するようにしてもよい。その際、表示報知データ検索部１０３は表示報知、アナウンス報知で兼用されるものとする。
【００２２】
実施の形態２．
次にエレベータ制御盤１００のメモリ内の表示データ１０７等の外部からの切換えについて説明する。実施の形態１の動作において、かご内行先釦１が操作された時に、操作された釦の行先階床がエレベータがサービスする階で、かつ災害時でない場合は、各階床毎に設定されている表示データ中で操作された釦のき先階床の表示データを表示報知するが、図４に示すように各階床毎の表示データはそれぞれ複数個持ち、表示モードにより選択可能とする。また、この表示モードは外部装置であるＲＳＷ１１７により簡単に設定変更可能とする。
【００２３】
図７のＪ〜Ｋにおける表示データを設定する処理の詳細を図１１に示す。ＲＳＷ１１７、ＤｉｐＳＷ（ディップスイッチ、図示省略）等の外部装置で設定された表示モードの値が入力されると（ステップＳ６１）、表示データのテーブル内における行先登録階床、入力した表示モードの位置の表示データを取り出し、出カデータに設定する。
【００２４】
各階床毎の複数個の属性は、外部のＰＣ（パーソナルコンピュータ）、携帯電話、ＰＨＳ電話等の移動体通信装置や通信機能を有する携帯情報端末からの伝送により、顧客が自由に表示データを書換えることが可能な構成にする。表示データを書換える際のイメージ図の例を図１２、図１３に示す。
【００２５】
図１２は、エレベータ制御盤１００と、書換え用アプリケーションを内臓したＰＣ４０１の双方に、モデム２０１，２０３（装置に内蔵されている場合もあり（図１の２０１参照））と、移動体通信装置である携帯電話もしくはＰＨＳ電話等の３０１，３０３を接続し、専用のフォーマット５０１のデータを伝送する方法である。顧客は、書換え用のアブリケーションにより、表示文字列、階床、表示モードの設定及び送信を行う。ＰＣ４０１の書換え用のアブリケーションは、設定された内容から専用のフォーマットのデータを作成し、エレベータ制御盤１００の携帯電話もしくはＰＨＳ電話を呼び出し、データを伝送する。
【００２６】
図１３は、エレベータ制御盤１００に移動体通信装置であるポケットベル３０５を接続し、携帯電話かＰＨＳ電話３０３、あるいはメール通信機能を備えたＰＣ４０３から専用のフォーマット５０３に則した形の内容をメールにて伝送する方法である。
【００２７】
エレベータ制御盤１００側（データ書換部１１３）では、図１４従って表示データを書換える。図１４において、エレベータ制御盤１００側ではポートをオープンすなわち受信可能な状態にし（ステップＳ２１）、データが送信されてくるのを待つ（ステップＳ２２）。データを受信した場合は、ステップＳ２２で受信イベントが立ち、受信イベント有りに進み、受信データ５０７中から、階床、表示モード、表示データ（＝表示文字列）を取り出し、図４に示す表示データのテーブル内の階床、表示モードの位置の表示文字列に受信データ５０７中の表示文字列を上書きする。これにより、各階床の情報が変化した時や、または季節や時間帯に応じて顧客が表示したいデータを自由に表示させることができる。
【００２８】
実施の形態３．
次に表示報知する属性をエレベータがサービスしない階の情報に限定する表示仕様判定処理について、図１５のフローチャートに従って説明する。図３に示すビル仕様データに、表示仕様として、通常モードと限定モードのどちらか一方を設定する。通常モードは、全ての表示データを表示するモードであり、限定モードは、非停止階の情報のみを表示するモードとする。そして実施の形態１の図７に示す処理に対し、図１５のステップＳ２ａの表示仕様の判定処理を追加する。そしてステップＳ２で操作されたかご内行先釦１がエレベータがサービスする階であった場合は、ステップＳ２ａへ進み、図３のビル仕様データにおいて、表示仕様が限定モードである場合は”ｎｏ”に進み、表示報知処理を終了する。これにより、表示報知する属性をエレベータがサービスしない階の情報に限定することができる。
【００２９】
【発明の効果】
以上のようにこの発明によれば、乗客がかご内にて行先を指定するかご内行先釦の操作を検出する手段と、エレベータの設置されている施設での仕様に関する施設仕様データおよび情報を表示報知する際の表示データを格納する記憶手段と、かご内行先釦が押された時に前記記憶手段内のビル仕様データおよび表示データを検索しこれから表示報知データを作成する手段と、前記表示報知データに従って表示報知を行う表示装置と、を備えたことを特徴とするエレベータにおける情報報知制御装置としたので、行先指定（呼び登録）された階床の情報を表示するようにしたため、乗客はこれから向かおうとする階床の情報や状態を知ることができ、より必要性の高い情報を効率よく表示報知できる。
【００３０】
また、前記表示報知手段での表示報知時間は、かご内行先釦が押されてから所定時間経過するまでの時間であるようにしたので、制御が容易である。
【００３１】
また、前記表示報知手段での表示報知時間は、かご内行先釦が押されている間であるようにしたので、乗客が必要なだけ表示報知を行うため、無駄がなく効率が良い。
【００３２】
また、前記表示報知と並行してアナウンス報知を行うために、前記表示報知データに対応したアナウンス報知データを作成する手段、およびこのアナウンス報知データに従ってアナウンス報知を行うアナウンス装置を備え、さらに報知手段として前記表示報知とアナウンス報知それぞれの選択を行う手段と、を備えたので、視覚障害者のバリアフリーにも役立ち、かつこれを必要に応じて使用できる。
【００３３】
また、前記表示データは各階床ごとにそれぞれ複数の異なる表示データを含み、これらの複数の表示データを選択変更する外部装置をさらに備えたので、報知内容の選択変更が容易に行える。
【００３４】
また、外部との通信により前記記憶手段内のデータを書き換えるデータ書換手段をさらに備えたので、報知内容の変更が容易に行える。
【００３５】
また、報知するデータをエレベータがサービスしない階であることを示す情報に限定する手段をさらに備えたので、報知内容を「エレベータが停止しない階である」という一番重要な内容に限定することができる。
【図面の簡単な説明】
【図１】この発明の一実施の形態によるエレベータにおける情報報知制御装置の構成を示す図である。
【図２】この発明によるエレベータにおける情報報知制御装置におけるかご内の行先釦、表示装置、アナウンス装置の様子の一例を示すイメージ図である。
【図３】この発明におけるビル仕様データの一例を示す図である。
【図４】この発明における表示データの一例を示す図である。
【図５】この発明における非停止階用の表示データの一例を示す図である。
【図６】この発明における非停止階用の表示の様子の一例を示すイメージ図である。
【図７】この発明の実施の形態１によるエレベータにおける情報報知制御装置の動作を説明するためのフローチャートである。
【図８】図７の続きのフローチャートである。
【図９】図７の続きのフローチャートである。
【図１０】図８，９の続きのフローチャートである。
【図１１】この発明の実施の形態２によるエレベータにおける情報報知制御装置の動作の特徴部分を説明するためのフローチャートである。
【図１２】この発明の実施の形態２による表示データを書換える構成の一例のイメージ図である。
【図１３】この発明の実施の形態２による表示データを書換える構成の別の例のイメージ図である。
【図１４】この発明の実施の形態２による表示データを書換える動作を説明するためのフローチャートである。
【図１５】この発明の実施の形態３によるエレベータにおける情報報知制御装置の動作の特徴部分を説明するためのフローチャートである。
【符号の説明】
１　かご内行先釦、２　行先釦操作検出部、５　表示装置、６　アナウンス装置、１００　エレベータ制御盤、１０１　エレベータ運転制御部、１０３　表示報知データ検索部、１０５　ビル仕様データ、１０７　表示データ、１０９　表示報知データ作成部、１１１　アナウンス報知データ作成部、１１３　データ書換部、１１５　コネクタ、１１７　ＲＳＷ、１３１　アナウンスデータ、２０１，２０３　モデム、３０１，３０３，３０５　移動体通信装置、４０１，４０３
ＰＣ、Ｍ　メモリ。
【図１】
2004043156.tif 000003
【図２】
2004043156.tif 000004
【図３】
2004043156.tif 000005
【図４】
2004043156.tif 000006
【図５】
2004043156.tif 000007
【図６】
2004043156.tif 000008
【図７】
2004043156.tif 000009
【図８】
2004043156.tif 000010
【図９】
2004043156.tif 000011
【図１０】
2004043156.tif 000012
【図１１】
2004043156.tif 000013
【図１２】
2004043156.tif 000014
【図１３】
2004043156.tif 000015
【図１４】
2004043156.tif 000016
【図１５】
2004043156.tif 000017